(57)【特許請求の範囲】
【請求項１】
加水発熱物質を収容した自己発熱容器と、該自己発熱容器内で前記加水発熱物質の上方に収納されて殺虫剤を収納した内容物収納容器と、可撓性材質からなる部分を有し、所定量の水を収容した水収納容器とを備え、前記自己発熱容器と前記水収納容器とを、下端に通水孔を有する壁を介して上部開放型容器内に収納した構成の加水発熱型容器において、
前記水収納容器を、前記上部開放型容器内に起立した状態で設置し、
開封手段として、前記水収納容器の上方に下方を向いて設置され前記水収納容器の水収納部分に直接接触することが可能な刃部材を備え、前記水収納容器に引張り部材を接続し、前記引張り部材を上方に向けて引張ることで、前記刃部材に前記水収納容器の前記水収納部分を押し付けて前記水収納容器を破断させ、前記水収納容器内の水を前記通水孔を通して前記上部開放型容器内に流出させることを特徴とする加水発熱型容器。
【請求項２】
加水発熱物質を収容した自己発熱容器と、該自己発熱容器内で前記加水発熱物質の上方に収納されて殺虫剤を収納した内容物収納容器と、可撓性材質からなる部分を有し、所定量の水を収容した水収納容器とを備え、前記自己発熱容器と前記水収納容器とを、下端に通水孔を有する壁を介して上部開放型容器内に収納した構成の加水発熱型容器において、
前記水収納容器を、前記上部開放型容器内に起立した状態で設置し、
開封手段として、前記水収納容器の前記可撓性材質からなる部分に固着された線状部材を備え、前記線状部材に引張り部材を接続し、前記引張り部材を引張ることで、前記水収納容器の前記線状部材が固着された部分を破断させ、前記水収納容器内の水を前記通水孔を通して前記上部開放型容器内に流出させることを特徴とする加水発熱型容器。
【発明の詳細な説明】
【０００１】
【発明の属する技術分野】
本発明は、殺虫剤等の薬効成分を蒸散したり、食品等を加熱するのに好適な、加水発熱型容器に関する。
【０００２】
【従来の技術】
従来、加水発熱型容器として、加水発熱物質を収容した自己発熱容器を上部開放型容器内に収納したものが知られている。上部開放型容器の上面はシール部材によってシールされ、さらに上蓋が脱着可能に設けられる。上蓋の略中央には開口部が設けられ、その開口部は、上蓋と上部開放型容器との間に挟持された紙蓋によって塞がれる。
【０００３】
このような加水発熱型容器においては、使用に際して、最初に上蓋、紙蓋及びシール部材を上部開放型容器から取り外し、次に上部開放型容器内に外部から所定量の水を流入させる。その後、上蓋を再び上部開放型容器に取り付ける。これにより、自己発熱容器内の加水発熱物質が水と反応して発熱し、薬効成分等を上蓋の開口部を介して上部開放型容器の外部に放出する。
【０００４】
【発明が解決しようとする課題】
上述した従来の加水発熱型容器においては、外部から水を供給する際に、水を入れ過ぎてしまう場合があった。水を入れ過ぎてしまうと、薬効成分等が十分に蒸散しない等の問題が生じる。そこで、所定量の水を計量してその水を加水発熱型容器に供給する必要があったが、このような作業は煩雑であった。
そこで、所定量の水を収容した水収納容器を、自己発熱容器とともに上部開放型容器内に収納した加水発熱型容器が使用されている。しかし、このタイプの加水発熱型容器においては、水収納容器を上部開放型容器から取り出すとともに開封して、当該水収納容器内の水を上部開放型容器に流出させる作業がやはり煩雑であった。
【０００５】
本発明は、前記課題に鑑みてなされたものであって、その目的は、使用に際して水の入れ過ぎ等を確実に防止することができ、かつ使い勝手が良好な加水発熱型容器を提供することにある。
【０００６】
【課題を解決するための手段】
本発明の前記目的は、加水発熱物質を収容した自己発熱容器と、該自己発熱容器内で前記加水発熱物質の上方に収納されて殺虫剤を収納した内容物収納容器と、可撓性材質からなる部分を有し、所定量の水を収容した水収納容器とを備え、前記自己発熱容器と前記水収納容器とを、下端に通水孔を有する壁を介して上部開放型容器内に収納した構成の加水発熱型容器において、前記水収納容器を、前記上部開放型容器内に起立した状態で設置し、開封手段として、前記水収納容器の上方に下方を向いて設置され前記水収納容器の水収納部分に直接接触することが可能な刃部材を備え、前記水収納容器に引張り部材を接続し、前記引張り部材を上方に向けて引張ることで、前記刃部材に前記水収納容器の前記水収納部分を押し付けて前記水収納容器を破断させ、前記水収納容器内の水を前記通水孔を通して前記上部開放型容器内に流出させることを特徴とする加水発熱型容器によって達成される。
また、本発明の前記目的は、加水発熱物質を収容した自己発熱容器と、該自己発熱容器内で前記加水発熱物質の上方に収納されて殺虫剤を収納した内容物収納容器と、可撓性材質からなる部分を有し、所定量の水を収容した水収納容器とを備え、前記自己発熱容器と前記水収納容器とを、下端に通水孔を有する壁を介して上部開放型容器内に収納した構成の加水発熱型容器において、前記水収納容器を、前記上部開放型容器内に起立した状態で設置し、開封手段として、前記水収納容器の前記可撓性材質からなる部分に固着された線状部材を備え、前記線状部材に引張り部材を接続し、前記引張り部材を引張ることで、前記水収納容器の前記線状部材が固着された部分を破断させ、前記水収納容器内の水を前記通水孔を通して前記上部開放型容器内に流出させることを特徴とする加水発熱型容器によって達成される。
【０００７】
ここで、可撓性材質からなる部分を有する水収納容器としては、例えば、アルミニウム袋、ビニール袋、ビニール部を有する容器、水を流出させるための開口を備え、その開口に可撓性材質からなるシール部材を溶着した構成の容器等を採用することができる。
【０００８】
このように構成された加水発熱型容器においては、使用時に引張り部材を引張ることで、水収納容器を上部開放型容器から取り出すことなく、当該水収納容器に収容された所定量の水を上部開放型容器内に流出させることができる。
したがって、水を入れ過ぎてしまう心配がないため、加水発熱型容器を確実に作動させることができる。また、加水発熱型容器に水を供給する作業が簡略化されるため、使い勝手がよい。
なお、前記水収納容器を、前記上部開放型容器内に起立した状態で設置すれば、水収納容器内の水を上部開放型容器内に、一層速やかに流出させることができる。
【０００９】
加水発熱物質としては、酸化カルシウム、塩化マグネシウム、塩化アルミニウム、塩化カルシウム、酸化鉄等、水を添加するのみで発熱する物品を例示できる。鉄と硫化カリウム、硫化鉄、金属塩化物、硫酸鉄等の少なくとも１種との混合物を水及び酸素と接触させる方式、鉄よりイオン化傾向大なる金属と鉄よりイオン化傾向小なる金属のハロゲン化物との混合物を水と接触させる方式、金属と重硫酸塩との混合物を水と接触させる方式、アルミニウムとアルカリ金属硝酸塩との混合物に水を加える方式等を例示できる。
【００１０】
【発明の実施の形態】
以下、本発明の実施形態を図面に基づいて説明する。図１に、本発明の第１実施形態を示す。加水発熱型容器１０は、加水発熱物質Ａを収容した自己発熱容器１２と、所定量の水を収容した水収納容器１４とを、上部開放型容器１１内に収納した構成になっている。
【００１１】
上部開放型容器１１は、防水性を有するポリエチレンやポリプロピレン等から形成されている。上部開放型容器１１の平面視楕円状の上部開口は、剥離可能なシール部材１７によって塞がれ、更に上蓋１９を嵌着される。上蓋１９には、薬効成分を蒸散できるように開口２０が設けられている。
図２に、加水発熱型容器１０の斜視図を示す。なお図２においては、シール部材１７及び上蓋１９の図示を省略した。
【００１２】
図１に示すように、自己発熱容器１２の底面には複数の通水孔１２ａが穿設されており、これら通水孔１２ａは不織布等の通水性を有する材質によって塞がれている。自己発熱容器１２内における加水発熱物質Ａの上方には、加熱されることで殺虫剤等の薬効成分を蒸散する内容物Ｂを収容した内容物収納容器１３が取り付けられている。
【００１３】
水収納容器１４として、ここでは樹脂シートからなる袋が用いられている。水収納容器１４の、水が収納された略直方体状の袋部の、上端側および下端側の樹脂シートは、溶着されてそれぞれ板状に形成されている。本実施形態においては、この袋部上端側の板状部分が引張り部材１５となる。すなわち引張り部材１５は水収納容器１４に一体的に設けられている。
図３に水収納容器１４の斜視図を示す。図３に示すように、袋部の両側端も溶着されて板状に形成されている。
【００１４】
また図１に示すように、上部開放型容器１１内において、自己発熱容器１２と水収納容器１４との間には仕切壁１６が設けられている。仕切壁１６の下端部には、通水孔１６ａが穿設されている。そして、仕切壁１６と上部開放型容器１１周壁とにより囲まれた、水収納容器１４が収納されている空間の上方開口を塞ぐように、天板２１が設けられている。天板２１には、引張り部材１５の上端部が挿通されるスリット２１ａが設けられている。そして、天板２１の下面におけるスリット２１ａ近傍には、刃部材２２が突設されている。
また、水収納容器１４下方の底板、すなわち仕切壁１６と上部開放型容器１１周壁とにより囲まれた空間の底板が、傾斜面１１ａに形成されている
【００１５】
水収納容器１４の略直方体状の袋部は、上部開放型容器１１内において起立した状態で設置されており、すなわち、袋部の長手方向が上下方向と一致するように設置されている。
【００１６】
以下、本実施形態の作用を説明する。
図１に示した加水発熱型容器１０を使用する際には、先ず、上蓋１９を上部開放型容器１１から取り外すとともに、シール部材１７を剥離する。次に、天板２１から突出している引張り部材１５の上端部をつまんで上方向に引張る。これにより水収納容器１４が引張り方向に移動し、天板２１の下面に突設された刃部材２２に当接する。すると水収納容器１４は刃部材２２によって引き裂かれ、水収納容器１４内の水が一気に流出する。水は、水収納容器１４下方に形成された傾斜面１１ａをつたって仕切壁１６の通水孔１６ａを通過し、自己発熱容器１２底面に到達する。これにより自己発熱容器１２の内部で内容物Ｂの加熱が開始され、薬効成分が蒸散される。
【００１７】
以上のような加水発熱型装置１０によれば、使用時に引張り部材１５を引張ることで、水収納容器１４を上部開放型容器１１から取り出すことなく、当該水収納容器１４に収容された水を上部開放型容器１１内に流出させることができる。したがって、加水発熱型容器に水を供給する作業が著しく簡略化されており、使い勝手がよい。また、予め所定量の水が用意されているので、水を入れ過ぎてしまう心配がなく、殺虫剤等の薬効成分を確実に蒸散させることができる。
【００１８】
また、加水発熱型容器１０においては、水収納容器１４が起立した状態で上部開放型容器１１内に設置されており、刃部材２２が水収納容器１４を長手方向に引き裂く構成である。また、水収納容器１４下方の底板が傾斜面１１ａに形成されている。したがって、水は水収納容器１４から一気に流出し、速やかに自己発熱容器１２に向かって流れるので、自己発熱容器１２において水量不足が生じることはなく、薬効成分の円滑な蒸散が行われる。
【００１９】
なお加水発熱型容器１０において、図１に示すように、未使用時に、上部開放型容器１１の上部開口を覆うシール部材１７に、引張り部材１５の上端を当接させておけば、水収納容器１４の上部開放型容器１１内でのずれを防止でき、水収納容器１４が刃部材２２によって損傷される心配がない。したがって、水収納容器の損傷を防止するための、別体の安全手段が不要である。引張り部材１５の上端を折り曲げ、天板２１上面に折り曲げ部を貼り付けておき、使用時にその折り曲げ部を剥がすと共に上方向に引張るように構成してもよい。
【００２０】
また図２及び図３に示すように、引張り部材１５の上端部に、つまんで引張り易くするために、引張り方向を示す矢印を印刷したり、つまむ部分の表面を摩擦抵抗の大きい凹凸面にしたりすることができる。図示しないが、引張り部材１５の上端に指を引掛ける突起等を設けてもよい。
【００２１】
図４に、本発明の第２実施形態を示す。以下、既に説明した部材等については図中に同一符号又は相当符号を付すことにより、説明を簡略化或いは省略する。
加水発熱型容器３０の上部開放型容器１１内には、底板と立壁とからなる、断面略Ｌ字状の支持部材３６が設けられている。支持部材３６の立壁の下部には、通水孔３６ａが設けられている。そして支持部材３６の立壁の壁面には、略直方体状の水収納容器３４が起立した状態で、すなわち水収納容器３４の長手方向が上下方向に一致するように取り付けられている。
【００２２】
図５に、水収納容器３４および支持部材３６の斜視図を示す。水収納容器３４として、ここではアルミ袋が用いられている。そして水収納容器１４の、支持部材３６の立壁に接する面の反対側の面に、その面の長手方向（上下方向）に沿って線状部材４１が固着されている。そして線状部材４１の下端に、引張り線３５の一端が接続されている。引張り線３５の他端には、上部開放型容器１１の上方において、引張り片３５ａが接続されている。本実施形態においては、引張り線３５と引張り片３５ａとにより引張り部材が構成されている。
【００２３】
以下、本実施形態の作用を説明する。
図４に示した加水発熱型容器３０を使用する際には、先ず、上蓋１９を上部開放型容器１１から取り外すとともに、シール部材１７を剥離する。次に、引張り片３５ａをつまんで横方向又は上方向に引張る。すると引張り片３５ａに接続された引張り線３５も引張られ、引張り線３５が線状部材４１を引張る。これにより線状部材４１は、水収納容器３４を下から上に向かって引き裂きながら、水収納容器３４から離脱していく。この時、水収納容器１４内の水が流出し、水は水収納容器３４下方に形成された傾斜面１１ａをつたって支持部材３６の通水孔３６ａを通過し、自己発熱容器１２底面に到達する。これにより自己発熱容器１２の内部で内容物Ｂの加熱が開始され、薬効成分が蒸散される。
【００２４】
以上のような加水発熱型容器３０によれば、簡単な構成で、第１実施形態と略同様の効果を得ることができる。また、刃部材がないので、水収納容器３４が損傷される心配がない。
また、起立した状態の水収納容器３４が下から上に向かって引き裂かれるので、全量の水が一層スムーズに流出する。
なお、支持部材３６を設けずに、上部開放型容器１１の周壁内面に水収納容器３４を固着してもよい。こうすれば構成が一層簡単なものになる。
【００２５】
図６に、本発明の参考例を示す。加水発熱型容器５０の上部開放型容器５１内には、所定箇所に係止片６２ａ，６２ｂが突設されており、シール部材を設けたプラスチック製の水収納容器５４を支持できるようになっている。ここで水収納容器５４は起立した状態で、すなわち水収納容器３４の長手方向が上下方向に一致するように上部開放型容器５１内に支持されている。水収納容器５４は、開口（ここでは円形開口）を可撓性材質からなるシール部材６１により塞がれている。そして水収納容器５４は、シール部材６１の形成する面が上下方向に略平行となるように、上部開放型容器５１内に支持されており、この状態における水収納容器５４の下面５４ａは傾斜面に形成されている。このように支持された状態の水収納容器５４の下方において、シール部材６１の端部に引張り部材５５の一端が接続されている。引張り部材５５の他端は、上部開放型容器５１の上方において引張られるようになっている。ここで引張り部材５５は、シール部材６１の下端側を延長すると共に上方に折り曲げることで形成されている。
【００２６】
以下、本参考例の作用を説明する。図６に示した加水発熱型容器５０を使用する際には、先ず、上蓋１９を上部開放型容器５１から取り外すとともに、シール部材１７を剥離する。次に、引張り部材５５の端部をつまんで上方向に引張る。すると引張り部材５５がシール部材６１を引張る。これによりシール部材６１が下から上に剥がされていく。この時、水収納容器５４内の水が流出し、水は水収納容器５４下方に形成された傾斜面１１ａをつたって自己発熱容器１２底面に到達する。これにより自己発熱容器１２の内部で内容物Ｂの加熱が開始され、薬効成分が蒸散される。
【００２７】
以上のような構成の加水発熱型容器５０によれば、プラスチック製の水収納容器５４が損傷される心配はなく、保存性が良好である。
シール部材６１は、プラスチック製の水収納容器５４の開口周縁に溶着されており、普通このようなシール部材６１を剥離する作業は煩雑である。しかし、以上のような加水発熱型容器５０によれば、水収納容器５４は、シール部材６１の形成する面が上下方向に略平行となるように、係止片６２ａ，６２ｂにより確実に支持されており、シール部材６１の下端側を延長すると共に上方に折り曲げて引張り部材５５を形成しているので、低引張り力でシール部材６１を容易に剥がすことができる。
【００２８】
引張り部材５５は起立性を有していることが好ましいが、特に限定されず、引張り部材５５が可撓性の材質からなる場合、上部開放型容器１１の上方に引張り部材先端を係止する手段を設けてもよい。
【００２９】
【発明の効果】
以上説明したように、本発明の加水発熱型容器は、水収納容器に引張り部材が接続され、使用時に引張り部材を引張ることで、水収納容器を上部開放型容器から取り出すことなく、当該水収納容器に収容された所定量の水を上部開放型容器内に流出させることができる。
したがって、水を入れ過ぎてしまう心配がないため、加水発熱型容器を確実に作動させることができる。また、加水発熱型容器に水を供給する作業が簡略化されるため、使い勝手がよい。
【図面の簡単な説明】
【図１】本発明の第１実施形態を示す概略断面図である。
【図２】本発明の第１実施形態を示す斜視図である。
【図３】図１における水収納容器及び引張り部材を示す斜視図である。
【図４】本発明の第２実施形態を示す概略断面図である。
【図５】図４における水収納容器及び引張り部材を示す斜視図である。
【図６】本発明の参考例を示す概略断面図である。
【符号の説明】
１０，３０，５０  加水発熱型容器
１１  上部開放型容器
１２  自己発熱容器
１３  内容物収納容器
１４，３４，５４  水収納容器
１５  引張り部材
２２  刃部材（開封手段）
３５  引張り線（引張り部材）
４１  線状部材(開封手段)
６１  シール部材（可撓性材質からなる部分、開封手段）
６２ａ，６２ｂ  係止片
【図１】
0004363691.tif 000002
【図２】
0004363691.tif 000003
【図３】
0004363691.tif 000004
【図４】
0004363691.tif 000005
【図５】
0004363691.tif 000006
【図６】
0004363691.tif 000007